(57)【特許請求の範囲】
【請求項１】
座の後方に後端部が配設された背凭れ支持杆と、
前記背凭れ支持杆の後端部に固着された左右方向を向く横フレーム、および前記横フレームの左右の側端から起立する１対の起立フレームを有する背凭れ支持フレームと、
前記背凭れ支持フレーム内に下部を嵌合するとともに、下端部を前記横フレームに当接させるようにして、下端部およびその両側端部を、それぞれ前記背凭れ支持フレームの横フレームおよび起立フレームに固着した背凭れとを備え、
前記背凭れの下部における左右の側端部を、前記起立フレームの外側方からねじ挿通孔に挿通したねじによって起立フレームに固着し、かつ起立フレームの外側面に、ねじの頭部を隠蔽するカバーを着脱可能に設けたことを特徴とする椅子。
【請求項２】
背凭れ支持フレームの横フレームにおける上面の前後方向の幅を、背凭れの下端面における前後方向の幅とほぼ同一とした請求項１記載の椅子。
【請求項３】
背凭れの下端部を、横フレームの下方からねじ挿通孔に挿通したねじによって、横フレームに固着した請求項１または２記載の椅子。
【請求項４】
背凭れを、背凭れ本体と、前記背凭れ本体の表面を被覆する表皮材とを有するものとし、前記表皮材における下部の左右の側端部を、前記背凭れ本体と、背凭れ支持フレームの起立フレームとによって挾持した請求項１〜３のいずれかに記載の椅子。
【請求項５】
表皮材を、下端が開口する袋状に形成し、前記表皮材の開口を背凭れ支持フレームの横フレームによって隠蔽した請求項４記載の椅子。
【請求項６】
背凭れの下部における左右の両側端面に、背凭れ支持フレームの起立フレームが嵌合する凹部を設けた請求項１〜５のいずれかに記載の椅子。
【請求項７】
背凭れ支持フレームにおける起立フレームと、それが嵌合される背凭れにおける凹部とを、上方から下方に向かって漸次広幅となるようにした請求項６記載の椅子。
【請求項８】
背凭れ支持杆を、座を支持する支基に設けた左右方向を向く枢軸によって枢支し、背凭れを前後方向に傾動可能とした請求項１〜７のいずれかに記載の椅子。
【発明の詳細な説明】
【技術分野】
【０００１】
本発明は、背凭れを有する椅子に関する。
【背景技術】
【０００２】
特許文献１および２に記載の椅子においては、背凭れは、座の後方において起立する背フレームの左右１対の背凭れ支持杆に、ねじをもって固着されている。
【０００３】
特許文献３に記載の発明においては、背凭れは、座の後方に設けられた上向きＵ型の背フレームにおける左右１対の背凭れ支持杆に、背凭れの左右の側端部に形成された下向きの筒部を外嵌することにより取付けられている。
背凭れは、薄手のクッションを倒立Ｕ字状に折り曲げ、その間に、左右の側端に筒部を設けたキャンバスを挾み込むことにより形成されている。
【先行技術文献】
【特許文献】
【０００４】
【特許文献１】実公昭４４−９１３３号公報
【特許文献２】実開昭４９−３８５０８号公報
【特許文献３】実公昭６０−３８９１９号公報
【発明の概要】
【発明が解決しようとする課題】
【０００５】
特許文献１および２に記載の発明においては、背凭れは、下端部が浮いた状態で、背凭れの後方からねじをもって、背フレームの背凭れ支持杆に取り付けられているため、背凭れの下端部の支持が不安定である。
また、背凭れの後面にねじの頭部が露呈するため、外観が悪い。
【０００６】
特許文献３に記載の発明においては、背凭れは、特許文献１および２と同様に、下端部が浮いた状態で、背凭れにおける両側端の筒部を、背フレームの背凭れ支持杆に外嵌することにより取付けられているため、背凭れの下端部の支持が不安定である。
また、背凭れの両側端の筒部を、背フレームの左右の背凭れ支持杆に同時に外嵌する必要があるため、取付け作業が面倒で、作業工数が増大する。
さらに、背凭れの両側端に筒部を形成するのに手間がかかり、加工工数が増える。
【０００７】
本発明は、上記問題点に鑑みてなされたもので、背凭れの下端部を安定よく支持することができ、背凭れの取付け作業の作業工数および製造作業工数を低減することができ、かつ外観をよくすることができる椅子を提供することを目的とする。
【課題を解決するための手段】
【０００８】
本発明によると、上記課題は、次のようにして解決される。
(１)  椅子を、座の後方に後端部が配設された背凭れ支持杆と、前記背凭れ支持杆の後端部に固着された左右方向を向く横フレーム、および前記横フレームの左右の側端から起立する１対の起立フレームを有する背凭れ支持フレームと、前記背凭れ支持フレーム内に下部を嵌合するとともに、下端部を前記横フレームに当接させるようにして、下端部およびその両側端部を、それぞれ前記背凭れ支持フレームの横フレームおよび起立フレームに固着した背凭れとを備え、前記背凭れの下部における左右の側端部を、前記起立フレームの外側方からねじ挿通孔に挿通したねじによって起立フレームに固着し、かつ起立フレームの外側面に、ねじの頭部を隠蔽するカバーを着脱可能に設けたものとする。
【０００９】
このような構成とすると、背凭れの下端部およびその両側端部を、背凭れ支持杆に取付けた背凭れ支持フレームに固着するため、背凭れの下端部を安定よく支持することができる。
また、背凭れを背凭れ支持フレーム内に嵌合するだけで、背凭れを定位置に配置することができるため、取付け作業を容易にして、作業工数を低減することができる。さらに、背凭れの位置ずれおよび外れも防止することができる。
また、背凭れの下部における左右の側端部を、起立フレームに確実に固着することができるとともに、起立フレームにねじの頭部を隠蔽するカバーを設けたため、ねじの頭部が露呈することがなく、外観をよくすることができる。
【００１０】
しかも、背凭れに、背凭れ支持杆に取付けるための特別な加工を施す必要がないため、背凭れの製造作業工数を低減させることができる。
【００１１】
(２)  上記(１)項において、背凭れ支持フレームの横フレームにおける上面の前後方向の幅を、背凭れの下端面における前後方向の幅とほぼ同一とする。
【００１２】
このような構成とすると、背凭れの下端部を、背凭れ支持フレームの横フレームによって、安定よく支持することができる。
また、背凭れ支持フレームの横フレームが、背凭れの前後にはみ出すことがないため、外観がよい。
【００１３】
(３)  上記(１)または(２)項において、背凭れの下端部を、横フレームの下方からねじ挿通孔に挿通したねじによって横フレームに固着する。
【００１４】
このような構成とすると、背凭れの下端部を、背凭れ支持フレームの横フレームに確実に固着することができる。
【００１５】
(４)  上記(１)〜(３)項のいずれかにおいて、背凭れを、背凭れ本体と、前記背凭れ本体の表面を被覆する表皮材とを有するものとし、前記表皮材における下部の左右の側端部を、前記背凭れ本体と、背凭れ支持フレームの起立フレームとによって挾持する。
【００１６】
このような構成とすると、表皮材が位置ずれしたり、外れたりするのを防止することができる。
【００１７】
(５)  上記(４)項において、表皮材を、下端が開口する袋状に形成し、前記表皮材の開口を背凭れ支持フレームの横フレームによって隠蔽する。
【００１８】
このような構成とすると、表皮材の開口が露呈しないため、外観をさらによくすることができる。
【００１９】
(６)  上記(１)〜(５)項のいずれかにおいて、背凭れ支持フレームの下部における左右の両側面に、背凭れ支持フレームの起立フレームを嵌合する凹部を設ける。
【００２０】
このような構成とすると、背凭れと起立フレームとを、簡単に位置決めすることができるとともに、背凭れと起立フレームとの前後方向のがた付きをなくすことができる。
【００２１】
(７)  上記(６)項において、背凭れ支持フレームにおける起立フレームと、それが嵌合される背凭れにおける凹部とを、上方から下方に向かって漸次広幅となるようにする。
【００２２】
このような構成とすると、背凭れを、背凭れ支持フレーム内に上方から挿入することにより、背凭れの下部を背凭れ支持フレームに簡単に位置決めできるため、取付け作業が容易になる。
【００２３】
(８)  上記(１)〜(７)項のいずれかにおいて、背凭れ支持杆を、座を支持する支基に設けた左右方向を向く枢軸によって枢支し、背凭れを前後方向に傾動可能となるようにする。
【００２４】
このような構成とすると、前後方向に傾動可能な背凭れを有する椅子を、上記(１)項と同様の効果を奏するものとすることができる。
【発明の効果】
【００２５】
本発明によると、背凭れの下部を安定よくする支持することができ、背凭れの取付け作業の作業工数および製造作業工数を低減することができ、かつ背凭れの位置ずれおよび外れを防止することができ、さらに、外観を向上させることができるようにした椅子を提供することができる。
【図面の簡単な説明】
【００２６】
【図１】本発明の一実施形態である椅子の正面図である。
【図２】同じく、側面図である。
【図３】同じく、背凭れの分解斜視図である。
【図４】同じく、背凭れの正面図である。
【図５】図４のV−V線拡大横断平面図である。
【図６】図４のVI−VI線拡大縦断側面図である。
【図７】背凭れの変形例を取付けた椅子の正面図である。
【図８】同じく、側面図である。
【発明を実施するための形態】
【００２７】
以下、本発明の一実施形態を、図面に基づいて説明する。
図１および図２に示すように、この椅子は、先端部にキャスタ１を備える放射状をなす５本の脚杆２を有する脚体３と、脚体３の中央に立設され、内部にガススプリング(図示略)が収容された伸縮式の脚柱４と、脚柱４の上端に後端部が固着された前上方を向く支基５と、支基５により支持された座６と、前端部が左右方向を向く軸７をもって支基５に枢着された背凭れ支持体８と、この背凭れ支持体８の後上部に支持された背凭れ９とを備えている。
【００２８】
支基５は、前後方向に長い平面視ほぼ長方形の箱状をなし、その内部には、背凭れ支持体８を介して、背凭れ９を常時前方に向かって付勢する付勢手段と、この付勢手段の付勢力を調節する調節手段(いずれも図示略)とが収容されている。なお、このような付勢手段や調節手段は、本発明に直接関係しないため、それらの詳細な説明は省略する。
【００２９】
背凭れ支持体８は、図２に示すように、前端部が軸７により支基５の両側部に回動可能に枢着され、前後方向の中央部が側面視において下方に突出するように円弧状に緩やかに湾曲し、かつ後端部が座６の後方に配設された左右１対の背凭れ支持杆１２、１２と、両背凭れ支持杆１２、１２の後端部に固着された背凭れ支持フレーム１１とを備えている。
【００３０】
背凭れ支持フレーム１１は、図３に示すように、背凭れ支持杆１２の後端部に固着された左右方向を向く横フレーム１１ａと、その両側端に連設された左右１対の起立フレーム１１ｂ、１１ｂとを有し、正面視ほぼ上向きコ字状に形成されている。背凭れ支持フレーム１１は、例えばアルミニウムまたはその合金により形成されている。
【００３１】
横フレーム１１ａは、左右方向の中央部が平面視において後方に突出するように円弧状に緩やかに湾曲するとともに、両側部は、正面視において斜め上方に傾斜している(図４参照)。横フレーム１１ａにおける上面の前後方向の幅は、背凭れ９の下端面の前後方向の幅とほぼ同一に形成されている。横フレーム１１ａの左右両側部には、図４に示すように、前方に開口する左右１対の嵌合孔１３、１３が設けられ、ここに左右１対の背凭れ支持杆１２、１２の後端部が次のようにして嵌合され、かつ固着されている。
【００３２】
組立てるには、まず、横フレーム１１ａの左右１対の嵌合孔１３、１３に、左右の背凭れ支持杆１２、１２の後端部をがたなく嵌合する。
ついで横フレーム１１ａにおける左右の嵌合孔１３と対応する位置の上面に設けた左右２個ずつの取付孔１４、１４に、上方よりボルト１５、１５を挿入し、両ボルト１５の下端部を、背凭れ支持杆１２の後端部に設けた上下方向の左右２個のめねじ孔１６、１６に螺合して締め付ける。これにより、背凭れ支持フレーム１１の横フレーム１１ａに、左右の背凭れ支持杆１２、１２の後端部が強固に固着される。
【００３３】
図３に示すように、左右の起立フレーム１１ｂ、１１ｂは、後記する背凭れ本体１７における側面の下部と同方向を向くように、斜め前上方に傾斜させてある。各起立フレーム１１ｂは、側面視において、上方から下方に向かって漸次広幅となるように形成されている。
【００３４】
背凭れ９は、正面形がほぼ方形の硬質合成樹脂よりなる背凭れ本体１７と、背凭れ本体１７の前面に配設されたクッション体１８と、背凭れ本体１７およびクッション体１８を被覆する表皮材１９とを備えている。
【００３５】
背凭れ本体１７は、上下方向の中央よりやや下方の部分が側面視において前方に突出するように緩やかに側面視くの字状に屈曲している。また、背凭れ本体１７の左右の側端部の折曲部よりも下方の部分は、上記背凭れ支持フレーム１１の起立フレーム１１ｂと同じ向きに傾斜している。背凭れ本体１７の前面には、全面にわたって多数のリブ２０が縦横に設けられている。
【００３６】
背凭れ本体１７の左右の側面における下部には、下方と外側方とに開口し、かつ上述した背凭れ支持フレーム１１の左右の起立フレーム１１ｂが嵌合される左右１対の嵌合凹部２１が形成されている。この嵌合凹部２１の開口は、背フレーム１１の起立フレーム１１ｂと補形をなすように、上部から下部に向かって、漸次広幅となるように形成されている。
【００３７】
クッション体１８は、発泡ウレタン等の弾性体によって、背凭れ本体１７とほぼ同様の方形の板状に形成され、かつ側面視においてくの字状に屈曲し、折曲部よりも下方の部分は、背凭れ本体１７の下部と同じ向きに傾斜している。
【００３８】
表皮材１９は、キャンバス生地等によって前後に扁平な袋状に形成され、その下端には、前後部を内側に折り曲げた帯状の折曲片１９ａ、１９ａが設けられ、折曲片１９ａ、１９ａの間には、表皮材１９を背凭れ本体１７およびクッション体１８に被せるための開口１９ｂが形成されている。表皮材１９の下部の両側面には、縦長の切込み１９ｃが設けられている。
【００３９】
表皮材１９を、背凭れ本体１７およびクッション体１８に被せた後、下端の折曲片１９ａ、１９ａが背凭れ本体１７の下端面にタッカーによって止着され、表皮材１９における切込み１９ｃ、１９ｃの開口縁部１９ｄが、背凭れ本体１７の嵌合凹部２１の内側面にタッカーによって止着される。
【００４０】
背凭れ支持フレーム１１に背凭れ９を取付けるには、背凭れ９を背凭れ支持フレーム１１内に上方から嵌合し、背凭れ本体１７の下部における外側面に設けた嵌合凹部２１に、背凭れ支持フレーム１１の左右の起立フレーム１１ｂ、１１ｂを外嵌するとともに、背凭れ９の下端面を横フレーム１１ａの上面に当接させて、背凭れ９を背凭れ支持フレーム１１により仮支持する。
【００４１】
ついで、図３および図５に示すように、左右の起立フレーム１１ｂに設けた上下のねじ挿通孔２２と、背凭れ本体１７の左右の嵌合凹部２１の奥面に設けた左右方向の上下１対の取付孔２３に挿入したボルト２４を、背凭れ本体１７における取付孔２３の近傍の部分(リブ、壁面等)によって回り止めして嵌合された四角ナット２５に螺合して締め付け、背凭れ９の下部を左右の起立フレーム１１ｂに固着する。
なお、本実施例においては、表皮材１９における切込み１９ｃの開口縁部１９ｄを、嵌合凹部２１の内側面と、起立フレーム１１ａの外側面との間に配設したが、開口縁部１９ｄを、嵌合凹部２１の奥面と起立フレーム１１ｂとの間に挾持するようにしてもよい。
【００４２】
ついで、図６に示すように、横フレーム１１ａの左右方向の中央部に設けた左右１対の上下方向を向く取付孔２６に下方より挿入したボルト２７を、背凭れ本体１７の下端に設けた取付孔２８に挿入し、かつ取付孔２４の近傍の部分によって回り止めして嵌合された四角ナット２９に螺合して締め付け、背凭れ９の下端部と横フレーム１１ａとを固着する。
これにより、背凭れ９は、その下端面を背凭れ支持フレーム１１の横フレーム１１ｂに当接させた状態で、背凭れ支持フレーム１１に強固に固着される。
また、背凭れ９における表皮材１９の下端の開口１９ｂは、横フレーム１１ａによって隠蔽される。
【００４３】
背凭れ支持フレーム１１に背凭れ９が固着された後、図３および図５に示すように、左右の起立フレーム１１ｂ、１１ｂの外側面に、カバー部材３０、３０が嵌着される。カバー部材３０は、背凭れ支持フレーム１１と同様に金属、または合成樹脂により形成されている。
カバー部材３０は、縦長板状の上向片３１と、その下端に、背凭れ支持フレーム１１の両側部下面の傾斜面に沿うように連設されるとともに、斜め内下向きに傾斜する内向片３２とを備えている。
上向片３１の内側面の下部には、先端に後方を向く突片３１ａを有する内側方を向く係止片３１ｂが設けられている。また、内向片３２の内端部には、先端に下方を向く突片３２ａを有する内側方を向く係止片３２ｂが設けられている。
【００４４】
背凭れ支持フレーム１１における左右の起立フレーム１１ｂと横フレーム１１ａの外側面には、カバー部材３０と補形をなす上下方向の凹部３３が形成されている。
カバー部材３０は、上向き片３１における係止片３１ｂの突片３１ａと、内向片３２における係止片３２ｂの突片３２ａとを、それぞれ背凭れ支持フレーム１１における横フレーム１１ａと起立フレーム１１ｂとの連設部の近傍に設けた係止溝、および横フレーム１１ａの下部に設けた係止溝(いずれも図示略)に係止させるようにして、凹部３３に嵌合される。これにより、背凭れ支持フレーム１１に、着脱可能に取付けられている。
カバー部材３０の外側面は、起立フレーム１１ｂの外側面と、ほぼ同一面をなしている。
【００４５】
カバー部材３０を起立フレーム１１ｂの外側面に着脱可能に装着したことにより、次のような効果を奏することができる。
(１)カバー部材３０の前後方向への位置ずれや、がた付きをなくすことができる。
(２)カバー部材３０の外側面が、起立フレーム１１ｂの外側面とほぼ同一面をなしているため、カバー部材３０と、起立フレーム１１ｂとの間に段差が生じず、この間に塵埃等が蓄積して汚れが発生するのを防止できる。
(３)カバー部材３０を合成樹脂製とした場合には、起立フレーム１１ｂの金属部分が露呈する面積を小さくすることができるため、着座者が、手または腕を後方に回したときに、起立フレーム１１ｂの金属部分に接触して違和感を感じるおそれを少なくできる。
(４)カバー部材３０を合成樹脂製とした場合には、例えば、カバー部材３０の左右方向の厚さが大である、起立フレーム１１ｂの凹部３３の左右方向の深さが小である、あるいは凹部３３がなく、カバー部材３０を他の止着手段により起立フレーム１１ｂの外側面に止着した等の理由により、カバー部材３０の外側面が起立フレーム１１ｂの外側面より突出したとしても、上記(３)と同様の効果をより有効に奏することができる。
【００４６】
図７および図８は、背凭れの変形例を取付けた椅子を示す。なお、以下の説明においては、上記実施形態の椅子との共通部には、同一の符号を付して、その詳細な説明を省略する。
【００４７】
この椅子の背凭れ３４は、方形枠状とした背凭れ本体３５と、その前面に張設されたメッシュ状の張材とした表皮材３６とを備えている。
背凭れ３４を背凭れフレーム１１に取り付けるには、背凭れ本体３５における下枠材３７を背凭れフレーム１１の横フレーム１１ａに固着し、背凭れ本体３５における左右の側枠杆３８を起立フレーム１１ｂに固着する。
【符号の説明】
【００４８】
１  キャスタ
２  脚杆
３  脚体
４  脚柱
５  支基
６  座
７  軸
８  背凭れ支持体
９  背凭れ
１１  背凭れ支持フレーム
１１ａ横フレーム
１１ｂ起立フレーム
１２  背凭れ支持杆
１３  嵌合孔
１４  取付孔
１５  ボルト
１６  めねじ孔
１７  背凭れ本体
１８  クッション体
１９  表皮材
１９ａ  折曲片
１９ｂ  開口
１９ｃ  切込み
１９ｄ  開口縁部
２０  リブ
２１  嵌合凹部
２２  ねじ挿通孔
２３  取付孔
２４  ボルト
２５  四角ナット
２６  取付孔
２７  ボルト
２８  取付孔
２９  四角ナット
３０  カバー部材
３１  上向片
３１ａ  突片
３１ｂ    係止片
３２  内向片
３２ａ  突片
３２ｂ  係止片
３３  凹部
３４  背凭れ
３５  背凭れ本体
３６  表皮材
３７  下枠材
３８  側枠杆
【図１】
0005806086.tif 000002
【図２】
0005806086.tif 000003
【図３】
0005806086.tif 000004
【図４】
0005806086.tif 000005
【図５】
0005806086.tif 000006
【図６】
0005806086.tif 000007
【図７】
0005806086.tif 000008
【図８】
0005806086.tif 000009